(57)【要約】【課題】  本発明は、天井の材質及び厚さにかかわらず天井に容易に固設することができる吊下げ具に関する。【解決手段】  本発明に係る吊下げ具１０は、中心を外して取付孔１１−２を形成して天井面に着接する台座１１と、吊下げ物を吊下げる吊下げ部１２−１と固定孔１２−３を形成した固定部１２−２とを略Ｌ字形状に一体に形成した吊下げ部材１２と、固定孔１２−３及び取付孔１１−２に挿通され天井面に取り付けるための取付け部材１３と、台座１１に装着され少なくとも吊下げ部材１２の側面を覆うキャップ１４とを備える。【選択図】      図１
2005044644.tif 000002
【特許請求の範囲】
【請求項１】
中心を外して取付孔を形成して天井面に着接する台座と、
吊下げ物を吊下げる吊下げ部と固定孔を形成した固定部とを略Ｌ字形状に一体に形成した吊下げ部材と、
前記固定孔及び前記取付孔に挿通され前記天井面に取り付けるための取付け部材と、
前記台座に装着され少なくとも前記吊下げ部材の側面を覆うキャップとを備えること
を特徴とする吊下げ具。
【請求項２】
前記吊下げ部材の吊下げ部は、平面視にて前記吊下げ部材の固定孔にほぼ接すること
を特徴とする請求項１に記載の吊下げ具。
【発明の詳細な説明】
【技術分野】
【０００１】
本発明は、照明器具等の電源コードを天井から吊下げるための吊下げ具に関する。
【背景技術】
【０００２】
オフィスビルや住宅等に設置される照明器具は、天井等に直接取り付ける直付けタイプや天井から吊下げる吊下げタイプ等がある。この吊下げタイプの照明器具は、通常、吊下げ具と呼ばれる器具に電源コードが吊下げられる。
【０００３】
図５は、背景技術に係る吊下げ具を示す図である。図５（Ａ）は、吊下げ具の一部断面側面図であり、図５（Ｂ）は、吊下げ具における各構成部品の側面図及び平面図である。また、図５（Ｂ）の各構成部品の側面図は、組み立て側面図でもある。
【０００４】
図５において、背景技術に係る吊下げ具１００は、台座１０１と、吊下げ部材１０２と、キャップ１０３とを備えて構成される。台座１０１は、中心にねじ挿入用取付孔１０２−２が形成された円板状部材１０１−３と、該円板状部材１０１−３の一方面に同心に円設され外周に雄ねじ部が形成された短高筒状部材１０１−１とから構成される。吊下げ部材１０２は、電源コード等を引っ掛けて吊下げる略Ｕ字状の吊下げ部１０２−１と、吊下げ部材１０２を天井に固定するためのねじ部１０２−２とから構成され、この吊下げ部１０２−１とねじ部１０２−２とが一体に形成されている。キャップ１０３は、上部開口が下部開口よりやや直径が小さく形成されると共に、下部開口内面に雌ねじ部が形成された筒状部材である。
【０００５】
このような背景技術に係る吊下げ具１００では、まず、台座１０１が天井に着接され、吊下げ部材１０２のねじ部１０２−２が台座１０１のねじ挿入用取付孔１０１−２に挿入され、吊下げ部１０２−１をつまんで天井にねじ込まれる。これによって台座１０１及び吊下げ部材１０２が天井に固定される。次に、照明器具等の電源コードがキャップ１０３を通して吊下げ部材１０２の吊下げ部１０２−１に引っ掛けられる。そして、キャップ１０３の下部開口内面における雌ねじ部と短高筒状部材１０１−１の外周における雄ねじ部とが螺合されることによってキャップ１０３が台座１０１に螺着される。これによって電源コードがキャップ１０３の上部開口縁で挟まれ、電源コードとキャップ１０３との間に働く摩擦力によって電源コードのずり下がりが抑制される。これによって電源コードが略安定的に吊下げ具から吊下げられる（例えば、特許文献１参照）。
【特許文献１】特開昭５５−１０９３０７号公報
【発明の開示】
【発明が解決しようとする課題】
【０００６】
ところで、近年、建築材料の多様化によって、天井材は、木材、コンクリート及び石膏ボード等の様々な材質の材料によって構築されており、また、材料の強度に応じてその厚さも様々である。背景技術に係る吊下げ具では、吊下げ部とねじ部とが一体に形成されているため、天井材の材質や厚さ等に応じてねじ部を適宜に変更することができなかった。
【０００７】
本発明は、上述の事情に鑑みて為された発明であり、天井材の材質や厚さ等に応じて最適な取付け部材を採用することができる吊下げ具を提供することを目的とする。
【課題を解決するための手段】
【０００８】
上述の目的を達成するために、本発明に係る吊下げ具は、中心を外して取付孔を形成して天井面に着接する台座と、吊下げ物を吊下げる吊下げ部と固定孔を形成した固定部とを略Ｌ字形状に一体に形成した吊下げ部材と、前記固定孔及び前記取付孔に挿通され前記天井面に取り付けるための取付け部材と、前記台座に装着され少なくとも前記吊下げ部材の側面を覆うキャップとを備える。
【０００９】
そして、上述の吊下げ具において、前記吊下げ部材の吊下げ部は、平面視にて前記吊下げ部材の固定孔にほぼ接する。
【発明の効果】
【００１０】
本発明に係る吊下げ具では、取付け部材と吊下げ部材とが分離しているので、天井材の材質及び厚さに応じて最適な取付け部材を選択することができる。このため、天井材の材質及び厚さに応じた様々な種類の吊下げ具を用意する必要がなく、吊下げ部材を兼用とすることができる。
【発明を実施するための最良の形態】
【００１１】
以下、本発明に係る実施形態を図面に基づいて説明する。なお、各図において同一の符号を付した構成は、同一の構成であることを示し、その説明を省略する。
【００１２】
図１は、実施形態に係る吊下げ具を示す図である。図１（Ａ）は、略直交する２方向から見た側面断面図であり、図１（Ｂ）は、吊下げ具における各構成部品の側面図及び平面図であり、そして、図１（Ｃ）は、吊下げ具に電源コードを引っ掛けた状態を示す断面図及び斜視図である。また、図１（Ｂ）の各構成部品の側面図は、組み立て側面図でもある。図２は、吊下げ部材を示す斜視図であり、図２（Ａ）は、吊下げ部材の一例であり、図２（Ｂ）は、吊下げ部材の他の一例である。
【００１３】
本実施形態に係る吊下げ具１０は、台座１１と、吊下げ部材１２と、取付け部材１３と、キャップ１４とを備えて構成される。
【００１４】
台座１１は、天井面に着接され、キャップ１４を保持するため部材であり、中心を外れた位置に取付け部材挿入用取付孔１１−２が形成された円板状部材１１−３と、該円板状部材１１−３の一方面に同心に円設され外周に雄ねじ部が形成された短高筒状部材１１−１とから構成される。台座１１の取付け部材挿入用取付孔１１−２は、中心を外れた位置であって、後述するように電源コード３０が吊下げ部材１２の吊下げ部１２−１に引っ掛けられた場合にその加重が台座１１の略中心になる位置に形成される。
【００１５】
取付け部材１３は、台座１１を介して吊下げ部材１２を天井面に取り付けて固定するための部材であり、例えば、木ねじ、プラグとプラグ用ねじ、及び、アンカーとアンカー用ねじ等である。
【００１６】
吊下げ部材１２は、電源コード等の吊下げ物を吊下げるための部材であり、電源コード等を引っ掛けて吊下げる略Ｕ字状の吊下げ部１２−１と、固定孔１２−３に取付け部材１３が挿通されることによって取付け部材１３と係合する固定部１２−２とから構成される。本実施形態では、吊下げ部材１２は、図２（Ａ）に示すように、断面円形の金属線材が、まず略円形状に曲成され、この曲成された円形状が作る平面に対し所定角度で屈曲され、この屈曲された金属線材部分が略Ｕ字状に折り曲げられることによって形成される。この曲成された略円形状部分が固定孔１２−３を有する固定部１２−２となり、略Ｕ字状部分が吊下げ部１２−１となる。
【００１７】
また、吊下げ部材１２は、図２（Ｂ）に示す吊下げ部材２２でもよい。この吊下げ部材２２は、帯状金属板の一方端に略円形孔が穿孔され、この穿孔された略円形孔が作る平面に対し所定角度で屈曲され、この屈曲された帯状金属板部分が略Ｕ字状に折り曲げられることによって形成される。そして、この略円形孔が固定孔２２−３となってこの孔を含む帯状金属板部分が固定部２２−２となり、略Ｕ字状部分が吊下げ部２２−１となる。
【００１８】
所定角度は、適宜決定されるが、図１（Ｂ）に示すＡ方向から見ると略Ｌ字形状であり（固定部部１２−２、２２−２の固定孔１２−３、２２−３が作る平面と吊下げ部１２−１、２２−１が作る平面とは略直交）、そして、Ａ方向と直交する図１（Ｂ）に示すＢ方向から見ると略数字の“２”形状である。また、図１（Ｂ）の吊下げ部材１２の平面図に示すように、平面視にて吊下げ部１２−１は、固定孔１２−３にほぼ接するように屈曲される。
【００１９】
そして、吊下げ部材１２に用いられる金属材料は、吊下げ部材１２に加えられる荷重に応じて適宜選択され、例えば、ステンレス鋼材、鋼材及び真鍮材等である。
【００２０】
図１に戻って、キャップ１４は、吊下げ部材１２の側面を覆い隠す部材であり、上部開口が下部開口よりやや直径が小さく形成されると共に、下部開口内面に雌ねじ部が形成された筒状部材である。
【００２１】
このような吊下げ具１０では、まず、天井材の材質及び厚さに応じて取付け部材１３が適宜に選択される。本実施形態では、木製天井に取り付けるために、取付け部材１３は、通常ねじのねじ頭部である溝付き頭部を持つ木ねじが選択される。ここで、固定孔１２−３の直径は、木ねじのねじ部の直径より大きく、木ねじの頭部の直径より小さい。また、固定孔１２−３の中心は、木ねじのねじ部の軸心に略一致している。そして、取付け部材挿入用取付孔１１−２の直径は、固定孔１２−３の直径以上の径であって、取付け部材挿入用取付孔１１−２が固定部１２−２によって覆われるような径である。
【００２２】
そして、台座１１が天井に着接され、吊下げ部材１２の固定孔１２−３が台座１１の取付け部材挿入用取付孔１１−２に一致するように、吊下げ部材１２が台座１１に着接される。次に、取付け部材（木ねじ）１３が固定孔１２−３及び取付け部材挿入用取付孔１１−２に挿通され、ドライバー等の工具によって取り付け部材（木ねじ）１３が天井にねじ込まれる。これによって台座１１及び吊下げ部材１２が天井に固定される。ここで、吊下げ部材１２の吊下げ部１２−１と固定部１２−２とは上述のように所定角度で屈曲しているので、吊下げ部１２−１に邪魔されることなく容易に取付け部材１３を固定孔１２−３及び取付け部材挿入用取付孔１１−２に挿通することができる。
【００２３】
次に、図１（Ｃ）に示すように、照明器具等の電源コード３０が逆Ｕ字形状に曲成され、この曲成された逆Ｕ字形状の部分がキャップ１４を通して吊下げ部材１２の吊下げ部１２−１に引っ掛けられる。そして、キャップ１４の下部開口内面における雌ねじ部と短高筒状部材１１−１の外周における雄ねじ部とが螺合されることによってキャップ１４が台座１１に螺着され装着される。これによって電源コード３０がキャップ１４の上部開口縁で挟まれ、電源コード３０とキャップ１４との間に働く摩擦力によって電源コード３０のずり下がりが抑制される。このため電源コード３０が略安定的に吊下げ具１０から吊下げられる。
【００２４】
ここで、吊下げ部材１２の吊下げ部１２−１と固定部１２−２とは上述のように所定角度で屈曲し、取付け部材挿入用取付孔１１−２が台座１１の中心を外れて形成されているので、キャップ１４を台座１４に装着した場合に、平面視にてキャップ１４の中心と木ねじのねじ部の軸心とは一致していない。
【００２５】
上述では、木製天井に吊下げ具１０を固設することから取付け部材１３に木ねじを採用する場合について説明したが、次に、天井がコンクリートで構築されている場合について説明する。
【００２６】
図３は、吊下げ具をコンクリートに取り付ける場合を説明するための図である。この場合において、吊下げ具１０は、取付け部材１３にプラグ用ねじ１３’−１及びプラグ１３’−２を採用することを除き、台座、吊下げ部材及びキャップは、図１に示す台座１１、吊下げ部材１２及びキャップ１４と同様である。プラグ用ねじ１３’−１は、通常ねじのねじ頭部を備える。
【００２７】
図３において、吊下げ具１０をコンクリート製天井３３に取り付ける場合には、まず、図３（Ａ）に示すように、コンクリート製天井３３にドリル等で下穴３２が形成される。次に、この下穴３２にプラグ１３’−２（図３（Ｂ））が挿入される。プラグ１３’−２は、プラグ用ねじ１３’−１を締め付けるための部材であって、先端側に中心軸線方向の割溝によって分割された複数の拡張片を設けた略円筒形状の部材である。次に、上述と同様に、図３（Ｃ）に示すように、プラグ用ねじ１３’−１が固定孔１２−３及び取付け部材挿入用取付孔１１−２に挿通される。ここで、固定孔１２−３の直径、取付け部材挿入用取付孔１１−２の直径は、プラグ用ねじ１３’−１に対して木ねじの場合と同様の関係にある。そして、ドライバー等の工具によってプラグ用ねじ１３’−１がプラグ１３’−２にねじ込まれ、プラグ用ねじ１３’−１の楔作用によってプラグ１３’−２が押し拡げられる。こうして台座１１及び吊下げ部材１２が取付け部材１３（プラグ用ねじ１３’−１及びプラグ１３’−２）によって天井に固定される。さらに、上述と同様に、電源コード３０が吊下げ部材１２の吊下げ部１２−１に引っ掛けられ、キャップ１４が台座１１に螺着される。これによって電源コード３０が略安定的に吊下げ具１０から吊下げられる。
【００２８】
また、次に、天井が石膏ボードで構築されている場合について説明する。
【００２９】
図４は、吊下げ具を石膏ボードに取り付ける場合を説明するための図である。図４（Ａ）は、アンカーを挿入した状態を示し、図４（Ｂ）は、アンカーのカサを開いた状態を示し、図４（Ｃ）は、アンカーにねじ込む状態を示す。この場合において、吊下げ具１０は、取付け部材１３にアンカー用ねじ１３”−１及びアンカー１３”−２を採用することを除き、台座、吊下げ部材及びキャップは、図１に示す台座１１、吊下げ部材１２及びキャップ１４と同様である。アンカー用ねじ１３”−１は、通常ねじのねじ頭部を備える。
【００３０】
図４において、吊下げ具１０を石膏ボード製天井４３に取り付ける場合には、まず、石膏ボード製天井４３にドリル等で下穴４２が貫通形成され、図４（Ａ）に示すように、この下穴４２にアンカー用ねじ１３”−１を締め付けるためのアンカー１３”−２が挿入される。次に、図４（Ｂ）に示すように、ドライバー等の工具でアンカー１３”−２に付属のねじを回すことによってアンカー１３”−２のカサが開かれ、アンカー１３”−２が石膏ボード製天井４３に固定される。次に、上述と同様に、アンカー用ねじ１３”−１が固定孔１２−３及び取付け部材挿入用取付孔１１−２に挿通され、ドライバー等の工具によってアンカー用ねじ１３”−１がアンカー１３”−２にねじ込まれる。これによって台座１１及び吊下げ部材１２が天井に固定される。ここで、固定孔１２−３の直径、取付け部材挿入用取付孔１１−２の直径は、アンカー用ねじ１３”−１に対して木ねじの場合と同様の関係にある。そして、上述と同様に、電源コード３０が吊下げ部材１２の吊下げ部１２−１に引っ掛けられ、キャップ１４が台座１１に螺着される。これによって電源コード３０が略安定的に吊下げ具１０から吊下げられる。なお、アンカー用ねじ１３”−１をアンカー１３”−２にねじ込むことによってカサの展開と台座１１及び吊下げ部材１２の天井への固定とを同時に行うタイプのアンカーでもよい。
【００３１】
このように本実施形態に係る吊下げ具１０は、吊下げ部材１２と取付け部材１３とが分離しているので、吊下げ具１０を固設する天井の材質及び厚さに応じて取付け構造及び寸法等の最適な取付け部材１３を選択することができる。また、吊下げ部１２−１と固定部１２−２とは略Ｌ字形状であるので、吊下げ部材１２を取付け部材１３によって台座１１を介して天井面に容易に取り付けることができ、吊下げ部材１２の吊下げ部１２−１の変形や取付け部材１３の変形等の施工上の不具合が抑制される。そして、吊下げ具１０は、取付け部材１３に通常ねじ頭部のねじを用いることによって、ドライバー等の工具で施工することができ、特に、電動ドライバーを使用することによって楽に施工することができる。
【図面の簡単な説明】
【００３２】
【図１】実施形態に係る吊下げ具を示す図である。
【図２】吊下げ部材を示す斜視図である。
【図３】吊下げ具をコンクリートに取り付ける場合を説明するための図である。
【図４】吊下げ具を石膏ボードに取り付ける場合を説明するための図である。
【図５】背景技術に係る吊下げ具を示す図である。
【符号の説明】
【００３３】
１０、１００  吊下げ具
１１、１０１  台座
１１−２  取付け部材挿入用取付孔
１２、１０２  吊下げ部材
１２−１  吊下げ部
１２−２  固定部
１２−３  固定孔
１３  取付け部材
１３’−１  アンカー用ねじ
１３’−２  アンカー
１３”−１  プラグ用ねじ
１３”−２  プラグ
１４、１０３  キャップ
【図１】
2005044644.tif 000003
【図２】
2005044644.tif 000004
【図３】
2005044644.tif 000005
【図４】
2005044644.tif 000006
【図５】
2005044644.tif 000007